(57)【特許請求の範囲】
【請求項１】
初期状態の個人認証媒体を１つずつ搬送する搬送手段と、
この搬送手段に対して設けられ、外部装置から供給される、固有の識別情報を含む個人認証媒体作成情報を前記搬送手段により搬送される個人認証媒体の印刷面に対し可視像として印刷する印刷手段と、
前記搬送手段の前記印刷手段よりも下流側に設けられ、前記印刷手段により情報が印刷された前記個人認証媒体の印刷面に対しオーバーコート処理を行なうオーバーコート処理手段と、
前記搬送手段の前記オーバーコート処理手段よりも下流側に設けられ、前記印刷手段により前記個人認証媒体の印刷面に印刷された情報のうち少なくとも前記識別情報を読取る読取手段と、
この読取手段の読取結果と前記外部装置から供給された個人認証媒体作成情報内の識別情報とを照合することにより、前記搬送手段における前記個人認証媒体の搬送状態に搬送順番入替りが発生したか否かを判定する判定手段と、
を具備したことを特徴とする個人認証媒体作成装置。
【請求項２】
初期状態の個人認証媒体を１つずつ搬送する搬送手段と、
この搬送手段に対して設けられ、外部装置から供給される、当該個人認証媒体所有者の顔画像を含む個人認証媒体作成情報を前記搬送手段により搬送される個人認証媒体の印刷面に対し可視像として印刷する印刷手段と、
前記搬送手段の前記印刷手段よりも下流側に設けられ、前記印刷手段により情報が印刷された前記個人認証媒体の印刷面に対しオーバーコート処理を行なうオーバーコート処理手段と、
前記搬送手段の前記オーバーコート処理手段よりも下流側に設けられ、前記印刷手段により前記個人認証媒体の印刷面に印刷された情報のうち少なくとも前記顔画像を読取る読取手段と、
この読取手段の読取結果により前記印刷された顔画像における印刷不良の有無を判定する第１の判定手段と、
この第１の判定手段により印刷不良ありと判定された際、前記読取手段の読取結果と前記外部装置から供給された個人認証媒体作成情報内の顔画像とを照合することにより、印刷不良と判定された部分は前記顔画像の取得時に元から存在したものであるか否かを判定する第２の判定手段と、
を具備したことを特徴とする個人認証媒体作成装置。
【請求項３】
あらかじめ印刷面の特定部位に固有の特定色領域が印刷されている初期状態の個人認証媒体を１つずつ搬送する搬送手段と、
この搬送手段に対して設けられ、外部装置から供給される、前記特定色領域を示す特定色領域情報を含む個人認証媒体作成情報を受取り、この受取った個人認証媒体作成情報の前記特定色領域情報を除いた情報を前記搬送手段により搬送される個人認証媒体の印刷面に対し可視像として印刷する印刷手段と、
前記搬送手段の前記印刷手段よりも下流側に設けられ、前記印刷手段により情報が印刷された前記個人認証媒体の印刷面に対しオーバーコート処理を行なうオーバーコート処理手段と、
前記搬送手段の前記オーバーコート処理手段よりも下流側に設けられ、前記個人認証媒体の印刷面に印刷された前記特定色領域を読取る読取手段と、
この読取手段の読取結果と前記外部装置から供給された個人認証媒体作成情報内の特定色領域情報とを照合することにより、前記搬送手段により搬送される前記個人認証媒体の向きがあらかじめ定められた向きであるか否かを判定する判定手段と、
を具備したことを特徴とする個人認証媒体作成装置。
【請求項４】
初期状態の個人認証媒体を１つずつ搬送する搬送手段と、
この搬送手段に対して設けられ、外部装置から供給される個人認証媒体作成情報を前記搬送手段により搬送される個人認証媒体の印刷面に対し可視像として印刷する印刷手段と、
前記搬送手段の前記印刷手段よりも下流側に設けられ、前記印刷手段により情報が印刷された前記個人認証媒体の印刷面に対しオーバーコート処理を行なうオーバーコート処理手段と、
前記搬送手段の前記オーバーコート処理手段よりも下流側に設けられ、前記印刷手段により前記個人認証媒体の印刷面に印刷された前記個人認証媒体作成情報を読取る読取手段と、
この読取手段の読取結果に対し検索キーワード情報を付加して保管情報を作成する保管情報作成手段と、
この保管情報作成手段により作成された保管情報を保管する保管手段と、
を具備したことを特徴とする個人認証媒体作成装置。
【請求項５】
初期状態の個人認証媒体を１つずつ搬送する搬送手段と、外部装置から供給される個人認証媒体作成情報を前記搬送手段により搬送される個人認証媒体の印刷面に対し可視像として印刷する印刷手段とからなる個人認証媒体作成装置であって、
少なくとも印刷位置のずれおよびスキューを検知するためのパターン情報を含むテスト印刷用個人認証媒体作成情報を前記搬送手段により搬送される個人認証媒体の印刷面に対し可視像として前記印刷手段を用いて印刷させる印刷制御手段と、
この印刷制御手段により前記印刷手段を用いて前記個人認証媒体の印刷面に印刷された情報のうち少なくとも前記パターン情報を読取る読取手段と、
この読取手段の読取結果に基づき、前記個人認証媒体の印刷面に印刷されたパターン情報にスキューがあるか否かを判定する判定手段と、
この判定手段により当該パターン情報にスキューありと判定された場合、そのスキュー角を計算するスキュー角計算手段と、
前記判定手段により当該パターン情報にスキューなしと判定された場合、前記読取手段の読取結果に基づき、前記個人認証媒体の印刷面に印刷されたパターン情報のあらかじめ定められた印刷基準位置からの印刷位置のずれ量を計算し、この計算したずれ量を印刷位置補正値として前記印刷手段に与える印刷位置ずれ量計算手段と、
を具備したことを特徴とする個人認証媒体作成装置。
【発明の詳細な説明】
【技術分野】
【０００１】
本発明の実施形態は、個人認証媒体作成装置に関する。
【背景技術】
【０００２】
最近、たとえば、自動車の運転免許証（個人認証媒体）として、偽変造対策と本人確認の迅速化等のため、ＩＣチップを内蔵したＩＣカードを用いた運転免許証（以降、これをＩＣ免許証と略称する）が実用化されている。
【０００３】
このようなＩＣ免許証を作成する個人認証媒体作成装置（ＩＣ免許証作成装置）は、免許証作成指示を行なう上位装置（顔画像撮影機、再処理機等）から送られる免許証作成情報（記載情報、色帯情報、顔画像など）を受信し、受信した免許証作成情報に基づき、以下の工程でＩＣ免許証を作成している。
【０００４】
第１工程：初期状態のＩＣ免許証（ＩＣカード）が多数収納されたカードカセットから該当色帯のＩＣ免許証を１枚取出す。  
第２工程：ＩＣ免許証の表面に顔画像をカラー印刷する。  
第３工程：ＩＣ免許証の表面に記載情報をモノクロ印刷する。  
第４工程：印刷した顔画像領域に対しＵＶ（紫外線）カット処理を行なう。  
第５工程：ＩＣ免許証の表面全体に対しオーバーコート処理を行なう。  
第６工程：ＩＣチップに免許証作成情報等を書込む。  
第７工程：作成したＩＣ免許証をスタッカに収納する。
【０００５】
しかしながら、従来の個人認証媒体作成装置には以下のような課題がある。  
（１）第４工程および第５工程の券面加工において、熱処理や紫外線照射処理を必要とするため、その影響を強く受け易い搬送制御用センサの設置に制限がある。また、券面全体にその熱処理や紫外線照射処理効果を与えるため、ＩＣ免許証を上下から搬送ベルトで挟持するような搬送処理が行なえない。さらに、複数のＩＣ免許証を同時に搬送しながら作成処理を行なう。このため、ＩＣ免許証の搬送不良が発生し、搬送状態に搬送順番入替りが発生した場合、これを認識できない可能性がある。特に、第４工程および第５工程において、搬送路に傾斜があり、かつ、紫外線の照射と熱の影響を避けるため搬送制御用センサ未設置という条件下で、複数のＩＣ免許証搬送時の順番入替りを検知できない可能性がある。
【０００６】
（２）ＩＣ免許証の作成において、券面に塵の付着や色抜け等の印刷不良が発生する場合がある。ただし、塵の付着や色抜けのように見えても、実際は被写体の黒子やアクセサリ等の場合がある。従来は、それらを目視検査によって判別している。
【０００７】
（３）免許証の種類を示す色帯をプレ印刷したＩＣ免許証（ＩＣカード）が多数収納されているカードカセットを装填するが、カードカセット内部のＩＣ免許証が、万が一、向きが間違っていてもそれを検知できない。
【０００８】
（４）作成したＩＣ免許証について、券面の劣化や偽変造について調査を実施したいとき、作成時の券面画像は残っていない。
【０００９】
（５）個人認証媒体作成装置の保守において、ＩＣ免許証の搬送スキューや券面における各色の印刷位置ずれの補正は、テスト印刷を行なった後、保守員がスキュー角や印刷位置ずれ量を計測し、その都度装置の補正を行なっている。このため、保守性向上を求められている。
【先行技術文献】
【特許文献】
【００１０】
【特許文献１】特開２００１−１７１２７０号公報
【発明の概要】
【発明が解決しようとする課題】
【００１１】
本発明が解決しようとする課題は、複数搬送時における個人認証媒体の搬送順番入替り、塵の付着や色抜け等の印刷不良、および、個人認証媒体の搬送向き異常を自動的に検知できる個人認証媒体作成装置を提供することである。
【００１２】
また、本発明が解決しようとする課題は、個人認証媒体作成時の券面画像を保管しておくことができるとともに、テスト印刷の際にスキューや印刷位置のずれ量を自動的に測定することができる個人認証媒体作成装置を提供することである。
【課題を解決するための手段】
【００１３】
実施形態に係る個人認証媒体作成装置は、初期状態の個人認証媒体を１つずつ搬送する搬送手段と、この搬送手段に対して設けられ、外部装置から供給される、固有の識別情報を含む個人認証媒体作成情報を前記搬送手段により搬送される個人認証媒体の印刷面に対し可視像として印刷する印刷手段と、前記搬送手段の前記印刷手段よりも下流側に設けられ、前記印刷手段により情報が印刷された前記個人認証媒体の印刷面に対しオーバーコート処理を行なうオーバーコート処理手段と、前記搬送手段の前記オーバーコート処理手段よりも下流側に設けられ、前記印刷手段により前記個人認証媒体の印刷面に印刷された情報のうち少なくとも前記識別情報を読取る読取手段と、この読取手段の読取結果と前記外部装置から供給された個人認証媒体作成情報内の識別情報とを照合することにより、前記搬送手段における前記個人認証媒体の搬送状態に搬送順番入替りが発生したか否かを判定する判定手段とを具備している。
【図面の簡単な説明】
【００１４】
【図１】実施形態に係る個人認証媒体作成装置の構成を概略的に示すブロック図。
【図２】実施形態に係る免許証作成部の構成を概略的に示す模式図。
【図３】実施形態に係る保管サーバの構成を概略的に示すブロック図。
【図４】実施形態に係るＩＣ免許証に対する読取部の読取結果に対し認識処理する領域を説明する図。
【図５】第１の実形態に係る個人認証媒体作成装置の通常作成動作について説明するフローチャート。
【図６】第２の実形態に係る個人認証媒体作成装置の通常作成動作について説明するフローチャート。
【図７】第２の実形態における塵の付着や色抜けの有無チェックを説明する図。
【図８】第２の実形態における黒点、白点が顔画像の取得時に元から存在したものであるか否かを判定する処理を説明する図。
【図９】第３の実形態に係る個人認証媒体作成装置の通常作成動作について説明するフローチャート。
【図１０】第４の実形態に係る個人認証媒体作成装置の印刷部における印刷位置ずれ補正等を行なうためのテスト印刷動作について説明するフローチャート。
【図１１】第４の実施形態で用いるテスト印刷用免許証作成情報内のパターン情報の一例を示す模式図。
【図１２】第４の実施形態においてテスト印刷されたＩＣ免許証から読取ったパターン情報の一例を示す模式図。
【図１３】第４の実施形態において測定したスキュー角およびアラームの表示例を示す模式図。
【図１４】第４の実施形態におけるスキュー有無判別処理およびスキュー角測定処理の一具体例について説明する図。
【図１５】第４の実施形態におけるスキュー有無判別処理およびスキュー角測定処理の一具体例について説明する図。
【図１６】第４の実施形態におけるスキュー有無判別処理およびスキュー角測定処理の一具体例について説明する図。
【図１７】第４の実施形態における印刷位置のずれ補正処理を説明する模式図。
【図１８】第４の実施形態における印刷位置のずれ補正処理を説明する模式図。
【図１９】第４の実施形態における印刷位置のずれ補正処理を説明する模式図。
【発明を実施するための形態】
【００１５】
以下、実施形態の個人認証媒体作成装置を図面を参照して説明する。  
図１は、本実施形態に係る個人認証媒体作成装置の構成を概略的に示すものである。本実施形態に係る個人認証媒体作成装置１０は、たとえば、ＩＣ免許証（個人認証媒体）を作成するもので、制御用ＰＣ（パーソナルコンピュータ）１１、作成制御部１２、および、免許証作成部１３から構成されている。
【００１６】
制御用ＰＣ１１は、後述するような各種処理や制御を行なうもので、上位装置（顔画像撮影機、再処理機等）２０に接続されており、上位装置２０から免許証作成情報が送信される。免許証作成情報は、少なくとも当該ＩＣ免許証所持者の記載情報（モノクロ）、顔画像（カラー）、当該ＩＣ免許証の種類を示す色帯（特定色領域）の色帯情報（色情報、位置情報等）を含んでいる。記載情報は、少なくとも住所、氏名、免許証番号（固有の識別情報）を含んでいる。
【００１７】
作成制御部１２は、制御用ＰＣ１１から送られる免許証作成情報に基づき免許証作成部１３を制御する。
【００１８】
免許証作成部１３は、例えば、図２に示すように構成されている。すなわち、初期状態のＩＣ免許証が多数収納されたカードカセット３１の後段には、カードカセット３１内のＩＣ免許証を１枚ずつ取出す取出部３２が設けられていて、この取出部３２とＩＣ免許証を収納するスタッカ３３およびリジェクトスタッカ３４との間には、ＩＣ免許証を搬送する搬送路３５が設けられている。
【００１９】
なお、本実施形態で扱うＩＣ免許証は、たとえば、非接触式ＩＣカードにより構成されており、ＩＣチップが埋設されている。
【００２０】
搬送路３５上の取出部３２よりも下流側には、ＩＣ免許証の表面（印刷面）にカラーの顔画像やモノクロの記載情報などを印刷する印刷部３６、印刷した顔画像領域に対しＵＶ（紫外線）カット処理を行なうＵＶＣ処理部３７、ＩＣ免許証の印刷した表面全体に対しオーバーコート処理を行なうＯＣ処理部３８、オーバーコート処理したＩＣ免許証の表面全体に対し紫外線を照射するＵＶ照射部３９、ＩＣ免許証の表面情報を光学的に読取る読取部（読取手段）４０、および、ＩＣ免許証に埋設されたＩＣチップに対し非接触で情報の読取りや書込みを行なうＩＣリーダ・ライタ部４１がその順番に順次設けられている。ここに、ＯＣ処理部３８およびＵＶ照射部３９はオーバーコート処理手段を構成している。
【００２１】
印刷部３６は、顔画像をカラー印刷するためのイエロー（Ｙ）印刷部４２、マゼンタ（Ｍ）印刷部４３、シアン（Ｃ）印刷部４４、および、記載情報などの黒情報を印刷するための黒（Ｋ）印刷部４５から構成されている。
【００２２】
なお、本実施の形態では、搬送路３５のＵＶ照射部３９と対応する部分３５ａは、ＯＣ処理部３８から読取部４０に向かって上昇する傾斜搬送路となっているものとする。
【００２３】
制御用ＰＣ１１には、保管サーバ５０が接続されている。保管サーバ５０は、ＩＣ免許証作成時の券面画像を保管し検索可能とするもので、図３に示すように、データベース管理プログラム５１、検索／表示アプリケーション５２、保管情報記憶領域５３、検索キーワード入力装置５４、および、保管情報表示装置５５から構成されている。
【００２４】
図４は、読取部４０によってＩＣ免許証の表面の読取りを行ない、その読取結果に対し認識処理する領域を示している。図４において、６０はＩＣ免許証、６１は免許証番号が印刷される免許証番号領域、６２は顔画像が印刷される顔画像領域、６３はＩＣ免許証の種類を示す色帯（固有の特定色領域）が印刷される色帯領域、６４は表面全体領域を示している。色帯領域６３には通常、当該ＩＣ免許証６０の有効期限が印刷される。
【００２５】
なお、本実施形態で扱うＩＣ免許証６０は、印刷領域を示す枠線６５があらかじめ印刷（プレ印刷）されているものとし、この枠線６５内に各情報の印刷が行われるようになっている。
【００２６】
また、本実施形態で扱うＩＣ免許証６０は、色帯はあらかじめ印刷（プレ印刷）されているものとする。色帯はＩＣ免許証６０の種類によって複数色存在するが、そのプレ印刷位置や形状は共通である。カードカセット３１には、同一色帯のＩＣ免許証６０が多数枚装填される。
【００２７】
本実施形態に係る個人認証媒体作成装置１０は、上位装置２０から送信される免許証作成情報を受信する。免許証作成情報は、上位装置２０の撮影サイクルに応じて送信されるようになっており、そのため個人認証媒体作成装置１０は複数枚のＩＣ免許証を搬送路３５上で制御する。
【００２８】
個人認証媒体作成装置１０では、免許証作成情報を制御用ＰＣ１１で受信し、作成制御部１２に送信する。作成制御部１２は、受信した免許証作成情報に基づき免許証作成部１３のアクチュエータ制御を行なうことにより、ＩＣ免許証の取出し、搬送、収納などを行なうとともに、以下の各工程を順次実行する。
【００２９】
第１工程：カードカセット３１から該当色帯のＩＣ免許証を１枚取出す（取出部３２）。  
第２工程：ＩＣ免許証の表面に顔画像をカラー印刷する（Ｙ印刷部４２、Ｍ印刷部４３、Ｃ印刷部４４）。  
第３工程：ＩＣ免許証の表面に記載情報をモノクロ印刷する（Ｋ印刷部４５）。  
第４工程：印刷した顔画像領域に対しＵＶ（紫外線）カット処理を行なう（ＵＶＣ処理部３７）。  
第５工程：ＩＣ免許証の表面全体に対しオーバーコート処理を行なう（ＯＣ処理部３８、ＵＶ照射部３９）。  
第６工程：ＩＣ免許証の表面全体領域６４を読取り、読取結果に基づく処理を行なう（読取部４０、制御用ＰＣ１１）。
【００３０】
第７工程：ＩＣチップに免許証作成情報等を書込む（ＩＣリーダ・ライタ部４１）。  
第８工程：作成したＩＣ免許証をスタッカ３３に収納する。
【００３１】
次に、上記のような構成において、第１の実形態に係る個人認証媒体作成装置１０の通常作成動作について図５に示すフローチャートを参照して説明する。
【００３２】
制御用ＰＣ１１は、上位装置２０から送信される免許証作成情報を受信すると、受信した免許証作成情報を作成制御部１２に送信する（ステップＳ１）。作成制御部１２は、受信した免許証作成情報に基づき免許証作成部１３を制御することにより、前記第１工程〜第５工程を実行する（ステップＳ２）。
【００３３】
すなわち、作成制御部１２は、受信した免許証作成情報に含まれる色帯情報を参照することにより、取出し部３２によりカードカセット３１から該当色帯のＩＣ免許証を１枚取出し、搬送路３５へ送る。搬送路３５は、取出されたＩＣ免許証を搬送する。
【００３４】
搬送されるＩＣ免許証が印刷部３６に到達すると、作成制御部１２は、当該ＩＣ免許証の印刷面の顔画像領域６２に対し、受信した免許証作成情報に含まれる顔画像のカラー印刷をＹ印刷部４２、Ｍ印刷部４３、Ｃ印刷部４４の各位置で実行する。
【００３５】
次に、作成制御部１２は、当該ＩＣ免許証の印刷面に対し、受信した免許証作成情報に含まれる記載情報（住所、氏名、免許証番号など）の文字印刷をＫ印刷部４５の位置で実行する。
【００３６】
印刷を終了したＩＣ免許証がＵＶＣ処理部３７に到達すると、作成制御部１２は、顔画像が印刷された顔画像領域６２上への保護膜の転写をＵＶ処理部３７の位置で実行する。
【００３７】
ＵＶ処理を終了したＩＣ免許証がＯＣ処理部３８に到達すると、作成制御部１２は、ＩＣ免許証の印刷面全体へのコーティング膜の転写をＯＣ処理部３８の位置で実行し、コーティング膜を硬化させるための紫外線照射をＵＶ照射部３９の位置で実行する。
【００３８】
こうしてＯＣ処理を終了したＩＣ免許証が読取部４０に到達すると、作成制御部１２および制御用ＰＣ１１は、前記第６工程を実行する。  
すなわち、作成制御部１２は、ＩＣ免許証の印刷面全体の読取りを読取部４０の位置で実行し、制御用ＰＣ１１は、この読取結果に基づく処理、本実施の形態では、まず読取結果から図４に示した表面全体領域６４を切出し、切出した表面全体領域６４の画像に対し検索キーワード情報を付加して保管情報を作成し、作成した保管情報を保管サーバ５０に送信する（ステップＳ３）。
【００３９】
保管サーバ５０は、データベース管理プログラム５１を起動することによって、制御用ＰＣ１１から送られた保管情報を情報記憶領域５３へ登録（記憶）する。  
保管サーバ５０では、検索キーワード入力装置５４から検索キーワードが入力されると、検索／表示アプリケーション５２はデータベース管理プログラム５１へ検索要求をかける。すると、データベース管理プログラム５１は、情報記憶領域５３へ検索情報を呼出し、応答された表示情報（保管情報）を検索／表示アプリケーション５２に受け渡す。検索／表示アプリケーション５２は、保管情報表示装置５５へ表示情報を出力する。
【００４０】
次に、制御用ＰＣ１１は、読取部４０の読取結果から図４に示した免許証番号領域６１を切出し、切出した免許証番号領域６１に対し文字認識処理（免許証番号の認識処理）を行なう（ステップＳ４）。
【００４１】
次に、制御用ＰＣ１１は、免許証番号の認識結果と上位装置２０から受信した免許証作成情報に含まれる免許証番号とを照合することにより、搬送路３５においてＩＣ免許証の搬送状態に搬送順番入替りが発生したか否かを判定する（ステップＳ５）。
【００４２】
本実施の形態では、たとえば、免許証番号の認識結果と免許証作成情報に含まれる免許証番号とが一致すれば搬送順番入替り発生なしと判断し、両者が不一致であれば搬送順番入替り発生ありと判断する。
【００４３】
ステップＳ５において、搬送順番入替り発生なしと判断した場合、制御用ＰＣ１１は次の工程継続の指示を作成制御部１２へ送ることにより、作成制御部１２は、前記第７工程〜第８工程を実行する（ステップＳ６）。
【００４４】
すなわち、読取処理を終了したＩＣ免許証がＩＣリーダ・ライタ部４１に到達すると、作成制御部１２は、当該ＩＣ免許証のＩＣチップに対し、受信した免許証作成情報に含まれるＩＣチップ書込み情報（記載情報、顔画像、色帯情報など）の書込みをＩＣリーダ・ライタ部４１の位置で実行する。
【００４５】
次に、作成制御部１２は、ＩＣ免許証のＩＣチップに書込んだ情報が正常に書込まれたか否かをチェックし、正常に書込まれている場合は、受信した免許証作成情報に含まれる収納先（スタッカ３３）へ当該ＩＣ免許証を収納し、正常に書込まれていない場合は、当該ＩＣ免許証をリジェクトスタッカ３４へ収納し、当該ＩＣ免許証の自動再作成処理に進む。
【００４６】
ステップＳ５において、搬送順番入替り発生ありと判断した場合、制御用ＰＣ１１はリジェクトスタッカ３４への収納指示を作成制御部１２へ送る。これを受けた作成制御部１２は、当該ＩＣ免許証（入替わったＩＣ免許証）をリジェクトスタッカ３４へ収納し（ステップＳ７）、当該ＩＣ免許証の自動再作成処理に進む（ステップＳ８）。
【００４７】
以上説明したように第１の実形態によれば、ＩＣ免許証に印刷された免許証番号を読取り、その認識結果と免許証作成情報に含まれる免許証番号とを照合し、ＩＣ免許証の搬送状態に搬送順番入替りが発生したか否かを判定することにより、複数のＩＣ免許証を搬送している際の順番入替りの発生有無を確実に検知できるとともに、順番入替りの発生検知時には当該入替りＩＣ免許証をリジェクトスタッカ３４に収納し、自動再作成処理を実行することが可能となる。
【００４８】
また、ＩＣ免許証の印刷面に免許証作成情報を印刷した際は、その印刷面の画像を読取って保管サーバ５０に保管し、検索／表示できるようにすることで、後日ＩＣ免許証の券面に対する問い合わせ（劣化や偽変造等）があった場合、作成時の券面画像と突き合わせることで、問題の有無を識別できる。
【００４９】
次に、第２の実形態に係る個人認証媒体作成装置１０の通常作成動作について図６に示すフローチャートを参照して説明する。  
なお、ステップＳ１１〜Ｓ１３は、前述した第１の実形態（図５）におけるステップＳ１〜Ｓ３と同様であるので、その説明は省略する。
【００５０】
ステップＳ１３の処理が終了すると、制御用ＰＣ１１は、読取部４０の読取結果から図４に示した顔画像領域６２を切出し、切出した顔画像領域６２に対し画象処理による印刷不良の有無チェック、本実施形態では塵の付着や色抜けの有無チェックを行なう（ステップＳ１４，Ｓ１５）。
【００５１】
塵の付着や色抜けの有無チェックは、たとえば、以下のように行なわれる。まず、図７（ａ）（ｂ）に示すように、読取った顔画像領域６２の画像６２ａ内に黒点Ｐ１もしくは白点Ｐ２が存在するか否かを確認する。
【００５２】
すなわち、画像６２ａを縦（Ｙ）方向および横（Ｘ）方向に走査することにより、Ｙ方向の連続する黒画素数Ａ、Ｘ方向の連続する黒画素数Ｂ、Ｙ方向の連続する白画素数Ｃ、Ｘ方向の連続する白画素数Ｄを計数し、  
基準黒点最大面積Ｊ１（画素数）＞Ａ×Ｂ（画素数）＞基準黒点最少面積Ｊ２（画素数）の条件を満足した際、黒点Ｐ１有り（塵付着の可能性有り）と判定し（図７（ａ））、  
基準白点最大面積Ｋ１（画素数）＞Ｃ×Ｄ（画素数）＞基準白点最少面積Ｋ２（画素数）の条件を満足した際、白点Ｐ２有り（色抜けの可能性有り）と判定する（図７（ｂ））。
【００５３】
ステップＳ１４，Ｓ１５のチェックの結果、黒点Ｐ１や白点Ｐ２がない場合、制御用ＰＣ１１は、塵の付着や色抜けがないと判断し、次の工程継続の指示を作成制御部１２へ送ることにより、作成制御部１２は、前記第７工程〜第８工程を実行する（ステップＳ１６）。ステップＳ１６は、前述した第１の実形態（図５）におけるステップＳ６と同様であるので、その説明は省略する。
【００５４】
ステップＳ１４，Ｓ１５のチェックの結果、黒点Ｐ１や白点Ｐ２がある場合、制御用ＰＣ１１は、塵の付着や色抜けの可能性があると判断し、当該塵や色抜け部の位置、すなわち、図７（ａ）（ｂ）に示すように、画像６２ａでの黒点Ｐ１、白点Ｐ２の位置（Ｘ座標値、Ｙ座標値）を求めて記憶する。
【００５５】
次に、制御用ＰＣ１１は、受信した免許証作成情報に含まれる顔画像の、検知した黒点Ｐ１、白点Ｐ２の位置（Ｘ座標値、Ｙ座標値）に対応する色情報が黒か白かをチェックすることにより、当該黒点Ｐ１、白点Ｐ２は当該顔画像の取得時に元から存在したものであるか否かを判定する（ステップＳ１７）。
【００５６】
すなわち、図８（ａ）に示すように、検知した黒点Ｐ１の位置に対応する免許証作成情報に含まれる顔画像６２ｂの色情報が黒相当ならば、当該顔画像の撮影時に元から存在したもの（つまり黒子）であると判定し、図８（ｂ）に示すように、検知した白点Ｐ２の位置に対応する免許証作成情報に含まれる顔画像６２ｂの色情報が白相当ならば、当該顔画像の撮影時に元から存在したもの（つまりアクセサリ等）であると判定する。
【００５７】
ステップＳ１７の判定の結果、検知した黒点Ｐ１／白点Ｐ２が黒子／アクセサリ等と一致した場合、制御用ＰＣ１１は、印刷不良なしと判断し、次の工程継続の指示を作成制御部１２へ送ることにより、作成制御部１２は、前記第７工程〜第８工程を実行する（ステップＳ１８）。ステップＳ１８は、前述した第１の実形態（図５）におけるステップＳ６と同様であるので、その説明は省略する。
【００５８】
ステップＳ１７の判定の結果、検知した黒点Ｐ１／白点Ｐ２が黒子／アクセサリ等と不一致の場合、制御用ＰＣ１１は、印刷不良ありと判断し、リジェクトスタッカ３４への収納指示を作成制御部１２へ送る。これを受けた作成制御部１２は、当該ＩＣ免許証をリジェクトスタッカ３４へ収納し（ステップＳ１９）、当該ＩＣ免許証の自動再作成処理に進む（ステップＳ２０）。
【００５９】
以上説明したように第２の実形態によれば、ＩＣ免許証に印刷された顔画像を読取り、読取った顔画像に対し塵の付着や色抜けのように見える状態が黒子やアクセサリ等であるかを判別することにより、塵の付着や色抜け等の印刷不良を確実に検知できるとともに、印刷不良検知時には当該ＩＣ免許証をリジェクトスタッカ３４に収納し、自動再作成処理を実行することが可能となる。
【００６０】
次に、第３の実形態に係る個人認証媒体作成装置１０の通常作成動作について図９に示すフローチャートを参照して説明する。
【００６１】
なお、ステップＳ２１〜Ｓ２３は、前述した第１の実形態（図５）におけるステップＳ１〜Ｓ３と同様であるので、その説明は省略する。
【００６２】
ステップＳ２３の処理が終了すると、制御用ＰＣ１１は、読取部４０の読取結果から図４に示した色帯領域６３を切出し、切出した色帯領域６３に対し色帯の色および色帯が存在する位置（Ｘ座標値、Ｙ座標値）を認識する（ステップＳ２４）。
【００６３】
次に、制御用ＰＣ１１は、認識した色帯の色および存在位置と上位装置２０から受信した免許証作成情報に含まれる色帯情報（色情報、位置情報）とを照合することにより、搬送路３５により搬送されるＩＣ免許証の向きおよび色帯の色種の少なくともいずれか一方に間違いがないか判定する（ステップＳ２５）。
【００６４】
すなわち、カードカセット３１の内部には、向きを統一し、かつ、色帯が同一色の初期状態のＩＣ免許証が格納されている。そのため、万が一、ＩＣ免許証の向きに間違いがあると、プレ印刷部分および枠線に対し、不整合が生じる。
【００６５】
そこで、本実施形態では、ＩＣ免許証から読取った色帯の色および存在位置と免許証作成情報内の色帯情報（色情報、位置情報）とを照合することにより、ＩＣ免許証の向きおよび色帯の色種に間違いがないか判定するものである。
【００６６】
本実施の形態では、たとえば、ＩＣ免許証から読取った色帯の色および存在位置と免許証作成情報内の色帯情報（色情報、位置情報）とが一致すればＩＣ免許証の向きおよび色帯の色種に間違いなしと判断し、両者が不一致であればＩＣ免許証の向きおよび色帯の色種に間違いありと判断する。
【００６７】
ステップＳ２５の判定の結果、ＩＣ免許証の向きおよび色帯の色種に間違いがない場合、制御用ＰＣ１１は次の工程継続の指示を作成制御部１２へ送ることにより、作成制御部１２は、前記第７工程〜第８工程を実行する（ステップＳ２６）。ステップＳ２６は、前述した第１の実形態（図５）におけるステップＳ６と同様であるので、その説明は省略する。
【００６８】
ステップＳ２５の判定の結果、ＩＣ免許証の向きおよび色帯の色種に間違いがある場合、制御用ＰＣ１１は、リジェクトスタッカ３４への収納指示を作成制御部１２へ送る。これを受けた作成制御部１２は、当該ＩＣ免許証をリジェクトスタッカ３４へ収納し（ステップＳ２７）、当該ＩＣ免許証の自動再作成処理に進む（ステップＳ２８）。
【００６９】
以上説明したように第３の実形態によれば、ＩＣ免許証にプレ印刷された色帯の色および存在位置を認識し、認識した色帯の色および存在位置と免許証作成情報内の色帯情報（色情報、位置情報）とを照合し、ＩＣ免許証の向きおよび色帯の色種に間違いがないか判定することにより、ＩＣ免許証の向きおよび色帯の色種間違いを自動的に検知できるとともに、間違い検知時には当該ＩＣ免許証をリジェクトスタッカ３４に収納し、自動再作成処理を実行することが可能となる。
【００７０】
次に、第４の実形態に係る個人認証媒体作成装置１０の印刷部３６における印刷位置ずれ補正等を行なうためのテスト印刷動作について図１０に示すフローチャートを参照して説明する。
【００７１】
テスト印刷に用いるテスト印刷用免許証作成情報は、たとえば、前述した免許証作成情報と同様の記載情報および色帯情報を含んでいるとともに、顔画像の代りに印刷位置のずれおよびスキューを検知するためのパターン情報を含んでいるものとする。
【００７２】
図１１は、本実施形態で用いるテスト印刷用免許証作成情報内のパターン情報の一例を示している。このパターン情報は、顔画像領域６２内に印刷されるもので、たとえば、Ｙ印刷部４２で印刷されるＹ色直線Ｌ１、Ｍ印刷部４３で印刷されるＭ色直線Ｌ２、Ｃ印刷部４４で印刷されるＣ色直線Ｌ３、および、Ｋ印刷部４５で印刷されるＫ色直線Ｌ４から構成されていて、これら各色直線Ｌ１〜Ｌ４はＩＣ免許証の搬送方向と直交方向に平行に印刷されるようになっている。
【００７３】
テスト印刷用免許証作成情報内のパターン情報においては、プレ印刷されている枠線６５の右端線６５ａをプレ印刷基準位置Ｐ０とすると、プレ印刷基準位置Ｐ０とＹ色直線Ｌ１の印刷位置との間の距離をＹ０（ｍｍ）、プレ印刷基準位置Ｐ０とＭ色直線Ｌ２の印刷位置との間の距離をＭ０、プレ印刷基準位置Ｐ０とＣ色直線Ｌ３の印刷位置との間の距離をＣ０、プレ印刷基準位置Ｐ０とＫ色直線Ｌ４の印刷位置との間の距離をＫ０、と定義する。
【００７４】
図示しない操作パネルなどからテスト印刷が指示されると、制御用ＰＣ１１は、テスト印刷用免許証作成情報を作成制御部１２に送信する（ステップＳ３１）。作成制御部１２は、受信したテスト印刷用免許証作成情報に基づき免許証作成部１３を制御することにより、前記第１工程〜第５工程を実行する（ステップＳ３２）。
【００７５】
すなわち、作成制御部１２は、受信したテスト印刷用免許証作成情報に含まれる色帯情報を参照することにより、取出し部３２によりカードカセット３１から該当色帯のＩＣ免許証を１枚取出し、搬送路３５へ送る。搬送路３５は、取出されたＩＣ免許証を搬送する。
【００７６】
搬送されるＩＣ免許証が印刷部３６に到達すると、作成制御部１２は、当該ＩＣ免許証の印刷面の顔画像領域６２に対し、受信したテスト印刷用免許証作成情報に含まれるパターン情報のカラー印刷をＹ印刷部４２、Ｍ印刷部４３、Ｃ印刷部４４、Ｋ印刷部４５の各位置で実行する。顔画像領域６２に印刷されたパターン情報は、たとえば、図１１に示すようになり、Ｙ色直線Ｌ１、Ｍ色直線Ｌ２、Ｃ色直線Ｌ３、および、Ｋ色直線Ｌ４が印刷される。
【００７７】
次に、作成制御部１２は、当該ＩＣ免許証の印刷面に対し、受信したテスト印刷用免許証作成情報に含まれる記載情報の文字印刷をＫ印刷部４５の位置で実行する。
【００７８】
印刷を終了したＩＣ免許証がＵＶＣ処理部３７に到達すると、作成制御部１２は、パターン情報が印刷された顔画像領域６２上への保護膜の転写をＵＶ処理部３７の位置で実行する。
【００７９】
ＵＶ処理を終了したＩＣ免許証がＯＣ処理部３８に到達すると、作成制御部１２は、ＩＣ免許証の印刷面全体へのコーティング膜の転写をＯＣ処理部３８の位置で実行し、コーティング膜を硬化させるための紫外線照射をＵＶ照射部３９の位置で実行する。
【００８０】
こうしてＯＣ処理を終了したＩＣ免許証が読取部４０に到達すると、作成制御部１２および制御用ＰＣ１１は、前記第６工程を実行する。  
すなわち、作成制御部１２は、ＩＣ免許証の印刷面全体の読取りを読取部４０の位置で実行し、制御用ＰＣ１１は、この読取結果から図４に示した顔画像領域６２を切出し、切出した顔画像領域６２内のパターン情報（図１１参照）に対し、スキューの有無を判別するとともに、スキュー有りの場合はそのスキュー角を測定する（ステップＳ３３，Ｓ３４）。
【００８１】
まず、切出した顔画像領域６２内のパターン情報（図１１参照）において、Ｙ色直線Ｌ１、Ｍ色直線Ｌ２、Ｃ色直線Ｌ３、Ｋ色直線Ｌ４、および、枠線６５の右端線（以降、プレ印刷基準位置線とも言う）６５ａそれぞれに対し、スキューがあるか否かを判別する。
【００８２】
図１２（ａ）〜（ｅ）は、切出した顔画像領域６２内のパターン情報例を示しており、図１２（ａ）はプレ印刷基準位置線６５ａ（ＩＣ免許証自体）にスキューが生じている場合、図１２（ｂ）はＹ色直線Ｌ１（Ｙ印刷部４２の印刷ヘッド）にスキューが生じている場合、図１２（ｃ）はＭ色直線Ｌ２（Ｍ印刷部４３の印刷ヘッド）にスキューが生じている場合、図１２（ｄ）はＣ色直線Ｌ３（Ｃ印刷部４４の印刷ヘッド）にスキューが生じている場合、図１２（ｅ）はＫ色直線Ｌ４（Ｋ印刷部４５の印刷ヘッド）にスキューが生じている場合、をそれぞれ示している。
【００８３】
スキュー有無判別の結果、スキュー有りの場合、制御用ＰＣ１１は、そのスキュー角を測定する。制御用ＰＣ１１は、測定したスキュー角をアラームとともに図示しないディスプレイに表示する（ステップＳ３５）。
【００８４】
図１３（ａ）〜（ｅ）は、スキュー角およびアラームの表示例を示しており、図１３（ａ）は図１２（ａ）に対応していて、「ＩＣ免許証スキュー有り、＋５°」と表示した場合、図１３（ｂ）は図１２（ｂ）に対応していて、「Ｙ印刷ヘッドスキュー有り、＋１０°」と表示した場合、図１３（ｃ）は図１２（ｃ）に対応していて、「Ｍ印刷ヘッドスキュー有り、−１０°」と表示した場合、図１３（ｄ）は図１２（ｄ）に対応していて、「Ｃ印刷ヘッドスキュー有り、＋１５°」と表示した場合、図１３（ｅ）は図１２（ｅ）に対応していて、「Ｋ印刷ヘッドスキュー有り、＋２０°」と表示した場合、をそれぞれ示している。
【００８５】
ここで、スキュー有無判別処理およびスキュー角測定処理の一具体例について図１４〜図１６を参照して説明する。
【００８６】
まず、図１４に示すように、正常時のＹ色直線Ｌ１の印刷位置Ｙ０、Ｍ色直線Ｌ２の印刷位置Ｍ０、Ｃ色直線Ｌ３の印刷位置Ｃ０、Ｋ色直線Ｌ４の印刷位置Ｋ０、プレ印刷基準位置Ｐ０を、読取情報（読取部４０で読取った顔画像領域６２の読取結果）上に換算することでデフォルト情報６６を作成し、図示しないメモリに格納しておく。この場合、各色の直線Ｌ１，Ｌ２，Ｌ３，Ｌ４およびプレ印刷基準位置線６５ａは、データ上では各直線の先頭データから連続するものとする。
【００８７】
なお、図１４のデフォルト情報６６は例えば２５６階調で表現されていて、６７はプレ印刷基準位置線６５ａの情報、６８はＫ色直線Ｌ４の情報、６９はＣ色直線Ｌ３の情報、７０はＭ色直線Ｌ２の情報、７１はＹ色直線Ｌ１の情報、をそれぞれ示しており、それ以外は背景の情報を示している。
【００８８】
次に、テスト印刷で読取った顔画像領域６２の読取情報（読取結果）を用いて、図１４のデフォルト情報６６を参照することにより、Ｙ色直線Ｌ１、Ｍ色直線Ｌ２、Ｃ色直線Ｌ３、Ｋ色直線Ｌ４、および、プレ印刷基準位置線６５ａそれぞれに対し、スキューがあるか否かを判別する。ここでは、図１２（ｅ）のＫ色直線Ｌ４にスキューが生じている場合を例に説明する。
【００８９】
図１５は実際に得られた正常時の読取情報７２を示し、図１６は実際に得られたＫ色直線Ｌ４にスキューが生じている場合（図１２（ｅ）の場合）の読取情報７３を示しており、これらは図１４のデフォルト情報６６と対応しているものとする。
【００９０】
本来、Ｋ色直線Ｌ４の情報６８の先頭データがあるべきアドレスから、どれだけ離れた位置に実際の先頭データがあるか、および、１ライン分の連続データ未満（図１６の例では２バイト）であることを検出し、スキュー有りと判別する。また、これをスキュー角θに変換する。すなわち、図１６の例では、Ｋ色直線Ｌ４の情報６８の先頭データがあるべきアドレスから１６バイト先に実際の先頭データがあるので、スキュー角θは「＋２０°」とする。
【００９１】
ステップＳ３５の処理が終了すると、制御用ＰＣ１１は次の工程継続の指示を作成制御部１２へ送ることにより、作成制御部１２は、前記第７工程〜第８工程を実行する（ステップＳ３６）。ステップＳ３６は、前述した第１の実形態（図５）におけるステップＳ６と同様であるので、その説明は省略する。
【００９２】
スキュー有無判別の結果、スキュー無しの場合、制御用ＰＣ１１は、印刷部３６における印刷位置のずれ補正処理を行なう（ステップＳ３７，Ｓ３８）。
【００９３】
たとえば、図１１に示すように、切出した顔画像領域６２内のパターン情報において、Ｙ色直線Ｌ１、Ｍ色直線Ｌ２、Ｃ色直線Ｌ３、Ｋ色直線Ｌ４それぞれとプレ印刷基準位置Ｐ０との距離を測定し、それぞれＹ１（ｍｍ）、Ｍ１（ｍｍ）、Ｃ１（ｍｍ）、Ｋ１（ｍｍ）とする。
【００９４】
次に、Ｙ０−Ｙ１＝Ｙ２、Ｍ０−Ｍ１＝Ｍ２、Ｃ０−Ｃ１＝Ｃ２、Ｋ０−Ｋ１＝Ｋ２を計算し、その計算結果Ｙ２、Ｍ２、Ｃ２、Ｋ２を印刷位置のずれ量とし、このずれ量を静止位置補正値（印刷位置補正値）として作成制御部１２へ送信する。これを受けた作成制御部１２は、当該静止位置補正値を記憶し、次回印刷時から当該静止位置補正値を適用する。
【００９５】
図１７（ａ）は、印刷位置ずれのない正常な印刷位置（印刷位置ずれなし）の場合を示しており、Ｙ色直線Ｌ１、Ｍ色直線Ｌ２、Ｃ色直線Ｌ３、Ｋ色直線Ｌ４は、それぞれ正規の位置に印刷されている。この例の場合、Ｙ０−Ｙ１＝０、Ｍ０−Ｍ１＝０、Ｃ０−Ｃ１＝０、Ｋ０−Ｋ１＝０となり、それぞれ静止位置補正値は「０」となる。
【００９６】
図１７（ｂ）は、Ｙ印刷部４２においてＩＣ免許証の停止位置が印刷ヘッドをオーバした場合（Ｙ印刷位置ずれ）を示しており、Ｙ色直線Ｌ１が正規の位置（点線Ｌａ）からずれて印刷されている。この例の場合はＹ０−Ｙ１＝Ｙ２となり、静止位置補正値は−Ｙ２となる。
【００９７】
図１７（ｃ）は、Ｍ印刷部４３においてＩＣ免許証の停止位置が印刷ヘッドの手前の場合（Ｍ印刷位置ずれ）を示しており、Ｍ色直線Ｌ２が正規の位置（点線Ｌｂ）からずれて印刷されている。この例の場合はＭ０−Ｍ１＝Ｍ２となり、静止位置補正値は＋Ｍ２となる。
【００９８】
図１７（ｄ）は、Ｃ印刷部４４においてＩＣ免許証の停止位置が印刷ヘッドをオーバした場合（Ｃ印刷位置ずれ）を示しており、Ｃ色直線Ｌ３が正規の位置（点線Ｌｃ）からずれて印刷されている。この例の場合はＣ０−Ｃ１＝Ｃ２となり、静止位置補正値は−Ｃ２となる。
【００９９】
図１７（ｅ）は、Ｋ印刷部４５においてＩＣ免許証の停止位置が印刷ヘッドの手前の場合（Ｋ印刷位置ずれ）を示しており、Ｋ色直線Ｌ４が正規の位置（点線Ｌｄ）からずれて印刷されている。この例の場合はＫ０−Ｋ１＝Ｋ２となり、静止位置補正値は＋Ｋ２となる。
【０１００】
ここで、印刷位置のずれ補正処理の一具体例について図１４および図１８〜図１９を参照して説明する。
【０１０１】
テスト印刷で読取った顔画像領域６２内の読取情報（読取結果）を用いて、図１４のデフォルト情報６６を参照することにより、Ｙ色直線Ｌ１、Ｍ色直線Ｌ２、Ｃ色直線Ｌ３、および、Ｋ色直線Ｌ４それぞれに対し、印刷位置ずれがあるか否かを判別する。ここでは、図１７（ｅ）のＫ色直線Ｌ４に印刷位置ずれが生じている場合を例に説明する。
【０１０２】
図１８は実際に得られた正常時の読取情報７２を示し、図１９は実際に得られたＫ色直線Ｌ４に印刷位置ずれが生じている場合（図１７（ｅ）の場合）の読取情報７４を示しており、これらは図１４のデフォルト情報６６と対応しているものとする。
【０１０３】
本来、Ｋ色直線Ｌ４の情報６８の先頭データがあるべきアドレスから、どれだけ離れた位置に実際の先頭データがあるか、および、１ライン分の連続データ（図１９の例では８バイト）であることを検出し、印刷位置ずれ有りと判別する。また、これを距離（印刷位置ずれ量）Ｌに変換する。すなわち、図１９の例では、Ｋ色直線Ｌ４の情報６８の先頭データがあるべきアドレスから１６バイト先に実際の先頭データがあるので、距離（印刷位置ずれ量）Ｌは「Ｋ１（ｍｍ）」とする。
【０１０４】
ステップＳ３８の処理が終了すると、制御用ＰＣ１１は次の工程継続の指示を作成制御部１２へ送ることにより、作成制御部１２は、前記第７工程〜第８工程を実行する（ステップＳ３９）。ステップＳ３９は、前述した第１の実形態（図５）におけるステップＳ６と同様であるので、その説明は省略する。
【０１０５】
なお、上記第４の実形態で用いるテスト印刷用免許証作成情報は、必ずしも記載情報および色帯情報を含んでいる必要がなく、印刷位置のずれおよびスキューを検知するためのパターン情報単独とし、記載情報等のテスト印刷を省略してもよい。
【０１０６】
以上説明したように第４の実形態によれば、印刷部３６におけるＹ印刷、Ｍ印刷、Ｃ印刷、Ｋ印刷の各印刷位置のずれ補正を行なうためにテスト印刷を行ない、作成したＩＣ免許証に印刷されたパターン情報を用いて印刷ヘッドのスキュー有無判別処理を行なうとともに、各色の印刷位置ずれ量を計測し、計測した印刷位置ずれ量を静止位置補正値（印刷位置補正値）として印刷部３６にフィードバックすることにより、印刷ヘッドのスキューや印刷位置のずれ量を自動的に測定して印刷ヘッド等を調整することができ、保守性の向上が図れる。
【０１０７】
以上述べた少なくとも１つの実施形態の個人認証媒体作成装置によれば、複数搬送時におけるＩＣ免許証の搬送順番入替り、塵の付着や色抜け等の印刷不良、および、ＩＣ免許証の搬送向き異常を自動的に検知することができる。また、ＩＣ免許証作成時の券面画像を保管しておくことができるとともに、印刷ヘッドのスキューや印刷位置のずれ量を自動的に測定することができる。
【０１０８】
なお、前記実施形態では、個人認証媒体がＩＣカードを用いたＩＣ免許証の場合について説明したが、ＩＣカードを用いない免許証であってもよく、また、免許証の形状もカード型に限らず、冊子状やブロック状であってもよい。
【０１０９】
また、前記実施形態では、個人認証媒体として自動車の運転免許証を作成する個人認証媒体作成装置に適用した場合について説明したが、これに限定されるものではなく、たとえば、学生証や社員証などを作成する個人認証媒体作成装置にも適用可能である。
【０１１０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれると同様に、特許請求の範囲に記載された発明とその均等の範囲に含まれるものである。
【符号の説明】
【０１１１】
１０…個人認証媒体作成装置、１１…制御用ＰＣ、１２…作成制御部、１３…免許証作成部、２０…上位装置、３１…カードカセット、３２…取出部、３３…スタッカ、３４…リジェクトスタッカ、３５…搬送路、印刷部…３６、３７…ＵＶＣ処理部、３８…ＯＣ処理部、３９…ＵＶ照射部、４０…読取部（読取手段）、４１…ＩＣリーダ・ライタ部、４２…Ｙ印刷部、４３…Ｍ印刷部、４４…Ｃ印刷部、４５…Ｋ印刷部、５０…保管サーバ。
【図１】
0005740245.tif 000002
【図２】
0005740245.tif 000003
【図３】
0005740245.tif 000004
【図４】
0005740245.tif 000005
【図５】
0005740245.tif 000006
【図６】
0005740245.tif 000007
【図７】
0005740245.tif 000008
【図８】
0005740245.tif 000009
【図９】
0005740245.tif 000010
【図１０】
0005740245.tif 000011
【図１１】
0005740245.tif 000012
【図１２】
0005740245.tif 000013
【図１３】
0005740245.tif 000014
【図１４】
0005740245.tif 000015
【図１５】
0005740245.tif 000016
【図１６】
0005740245.tif 000017
【図１７】
0005740245.tif 000018
【図１８】
0005740245.tif 000019
【図１９】
0005740245.tif 000020